【事件の表示】
　特願２００６−　８９５６５「発光装置」拒絶査定不服審判事件〔平成１９年１０月１１日出願公開、特開２００７−２６６３１４〕について、次のとおり審決する。
【結　論】
　本件審判の請求は、成り立たない。
【理　由】
第１　手続の経緯  
　本願は、平成１８年３月２８日の出願であって、 平成２３年６月２２日付けで拒絶の理由が通知され、同年８月２９日に意見書の提出がなされたが、同年１０月１８日付けで拒絶査定がなされ、これに対して、平成２４年１月２５日に拒絶査定不服審判が請求されると同時に手続補正がなされた後、当審において、同年１２月１２日付けで拒絶の理由（以下「当審拒絶理由」という。）が通知され、平成２５年２月１８日に手続補正がなされたものである。
　　 
第２　本願発明 
　本願の請求項に係る発明は、平成２５年２月１８日付けの手続補正書の請求項１に記載された事項により特定されるとおりのものであるところ、その請求項１に係る発明（以下「本願発明」という。）は、次のとおりのものである（なお、下線は当審で付した。以下同じ。）。
　    　
　「電流が供給されるとそれぞれが異なる色の光を放射する複数のＬＥＤと、
　前記複数のＬＥＤが実装されたＬＥＤ実装部、及び前記ＬＥＤ実装部のうち前記複数のＬＥＤのそれぞれが実装された領域の周囲に設けられた壁部を有するベース部材と、
　前記複数のＬＥＤから放射された光を透過させる保護カバーと、
　
前記壁部に設けられ
複数の光検出手段
　前記複数の光検出手段のそれぞれで検出された光の強度が、予め決められた光の強度となるように、前記複数のＬＥＤのそれぞれに供給される電流を制御する制御部とを備え、
　
前記ベース部材は、第１の実装基板と、第２の実装基板とを含み
　前記保護カバーは、前記ベース部材の上方に設けられている
　ことを特徴とする発光装置。」　
　　 
第３　刊行物の記載
１　刊行物に記載された事項  
（１）当審拒絶理由に引用され、本願出願前に頒布された刊行物である特開２００４−３１１３５３号公報 （以下「引用文献」という。）には、図とともに以下の記載がある。   　
　                        　
　ア　「【請求項１】  　
開口部を有する筐体と、
前記開口部に相対する前記筐体の底面に配設された第１の反射板と、
前記底面に配設された複数の光源と、
前記開口部に配設された拡散板とを有する面状光源装置であって、
前記光源が点状光源
該点状光源と前記開口部とのあいだに第２の反射板を配置し、該第２の反射板のうち、少なくとも前記第１の反射板に相対する面が反射面であり、該反射面の面積が前記筐体の底面の面積より小さいことを特徴とする面状光源装置。
【請求項２】
前記点状光源が、赤色、緑色または青色の単色光を発する発光ダイオードである
　
　イ　「【０００６】
本発明は、かかる課題を解決するためになされたもので、光源と光拡散板との間隔を狭くし、バックライト（以下、面状光源装置と称す）の薄型化を図った場合においても、輝度ムラおよび色度ムラが発生しない面状光源装置を得るものであり、この面状光源装置を用いることによりすぐれた表示特性を得ることができる液晶表示装置を提供することを目的とする。」
　
　ウ　「実施の形態１
図１は本発明の実施の形態１にかかわる面状光源装置の概略構成を示す斜視図、図２は図１に示す面状光源装置の矢視ＩＩ−ＩＩ線からみた部分断面図、図３はＬＥＤの配列の一例を示すＬＥＤ配列図である。
【００１０】
図１〜３において、面状光源装置の筐体１は底面１ａと４つの側面から構成され、底面１ａに相対する開口部１ｂを有している。筐体１は、光が外部にできる限り漏れないようにするとともに、内側で反射して開口部１ｂ側に光が進むように、
筐体１の内側となる底面１ａおよび側面には、光を正反射、拡散反射またはその複合で反射する反射板が形成されている
筐体１の内側に白色塗料などを塗布しておくことにより一層内部での反射がよくなり、光の損失が少なくなるため好ましい。なお、以下、底面１ａに配設された反射板を第１の反射板２と称する
【００１１】
筐体１の開口部１ｂ全体には、光を透過および拡散する機能を有する拡散板３を配設する。
【００１２】
拡散板３は、ポリエチレンテレフタレート（ＰＥＴ）またはポリカーボネートなどからなり、斜め方向から入射した光でも表面であらゆる方向に均一に放射されるようにする機能を有する。
【００１３】
本実施の形態では点状光源４として、ＬＥＤを使用し、赤色（Ｒ）の光を発する第１の点状光源４ａと、緑色（Ｇ）の光を発する第２の点状光源４ｂと、青色（Ｂ）の光を発する第３の点状光源４ｃとから構成される。なお、赤色、緑色または青色の単色光を発するＬＥＤは、白色光を発するＬＥＤに比べて、発光効率が高く、液晶表示装置に用いられるカラーフィルタの赤色、緑色および青色の透過特性とＬＥＤに発光スペクトルをあわせ込むことで、色再現性の高い表示装置を得ることができるので好ましい。
【００１４】
矩形状の点状光源基板５には、複数の点状光源４が点状光源基板５の長手方向に沿って配列され実装されている。また、点状光源基板５は、筐体１の底面の長手方向に延在し、筐体１の底面外側に固着されている
【００１５】
矩形状の第２の反射板６は、第１の反射板２に相対する面が光を反射する反射面６ａであり、反射面６ａの裏面が光を正反射する機能を有する正反射面６ｂである。また、第２の反射板６は、点状光源４と開口部１ｂとのあいだに、第１の反射板２と第２の反射板６の反射面６ａとが互いにほぼ平行となるように筐体１の側面に固着されている。また、第２の反射板６の反射面６ａは筐体１の底面１ａの面積より小さくすることで、隣接する第２の反射板６間から点状光源４からの光を拡散板３側に到達させることができる。
第２の反射板６は、筐体１と同様に金属板またはプラスチックなどにより形成され、反射率の高い金属板または反射率の高い白色塗料の塗布などにより形成する
　　　・・・（略）・・・　　　　
【００２３】
点状光源４である第１の点状光源４ａ、第２の点状光源４ｂおよび第３の点状光源４ｃから発せられた赤色、緑色および青色の単色光は、直接または第１の反射板２によって反射され、第２の反射板６の反射面６ａで反射される。単色光は、第１の反射板２と第２の反射板６の反射面６ａで反射を繰り返し、第１の反射板２と第２の反射板６の間隙を伝播するうちに配光を広げ、
複数の点状光源４から発せられた赤色、緑色および青色の単色光は混色されて白色光に均一化される
　
　エ　「【００３８】
実施の形態４
図７は本発明の実施の形態４にかかわる面状光源装置の概略構成を示す斜視図、図８は図７に示す面状光源装置の矢視ＶＩＩＩ−ＶＩＩＩ線からみた部分断面図である。図７および図８において、図５および図６と同じ符号は、同一または相当部分を示し、その説明を省略する。複数の点状光源を前記筐体の底面の長手方向に沿って配列した点状光源群が複数並設され、
点状光源群間および筐体１の側面近傍における第１の反射板２に突起部２ａを設けている
【００３９】
また、突起部２ａの長さ（底面１ａの長手方向）は、図７に示すように、連続して設ける方が、長手方向の位置に関わらず、光を一様に拡散板３側に反射させることができるので好ましい。しかしながら、長さの短い突起部２ａを連続して、または一定間隔で並べて配置してもよい。また、液晶表示装置を透過したうえで所望の輝度および色度に最適化できるように、突起部２ａの個数、位置または形状を任意に設定することができる。
【００４０】
なお、本実施の形態４においては、
点状光源群間および筐体１の側面近傍における第１の反射板２に突起部２ａを設けているところだけが実施の形態３と異なっており、後述する突起部２ａによる作用効果以外は、実施の形態３と同様の作用効果を奏する
【００４１】
前述した実施の形態３においては、第２の反射板８の反射面８ａ、８ｂと第１の反射板２との反射を繰り返すうちに、光の筐体１の底面１ａに対する角度が水平に近づき、第１の反射板２に入射した光が、隣接する第２の反射板８間を通過するために充分な反射角が得られない場合がある。しかしながら、
本実施の形態４においては、筐体１の底面１ａに対する光の角度が水平に近い場合であっても、突起部２ａにより、少なくとも突起部２ａに入射する光は、隣接する第２の反射板８間を通過するために充分な反射角が得ることが可能であり、輝度の低下を抑制し、明るい面状光源装置を得ることができる
　
　オ　実施の形態４のついての図８は、以下のものである。
　　　　　　
２　引用文献に記載された発明  
　ア　上記１（１）アの記載によれば、
　引用文献には、
　「開口部を有する筐体と、
　開口部に相対する筐体の底面に配設された第１の反射板と、
　底面に配設された複数の光源と、
　開口部に配設された拡散板とを有する面状光源装置であって、
　光源が、赤色、緑色または青色の単色光を発する発光ダイオードの点状光源である、
　面状光源装置。」　
　が記載されているものと認められる。　  　
　
　イ　上記１（１）ウ（【００１０】及び【００１５】を参照。）の記載に照らせば、 
　上記アの「第１の反射板」は、  　 　
　筐体の底面内側に反射率の高い白色塗料を塗布をすることにより形成されてもよいものと認められる。　　
　
　ウ　上記１（１）ウ（【００２３】を参照。）の記載に照らせば、
　上記アの「面光源装置」は、「白色光を得るための面光源装置」であるといえる。
    　
　エ　上記１（１）ウ（【００１４】を参照。）の記載を踏まえて、図８を見ると、
　上記アの「点状光源」は、
　筐体の底面外側に固着された、３列で並設されている点状光源基板に実装されていてもよいものと認められる。         　
　　　  　
　オ　上記１（１）エ（【００３８】を参照。）の記載を踏まえて、図８を見ると、
　第１の反射板には、点状光源間及び筐体の側面近傍に突起部が設けられていることが把握できる。
　　　　　
　カ　上記アないしオの記載から、引用文献には次の発明（以下「引用発明」という。）が記載されていると認められる。　　  
 　  
 「開口部を有する筐体と、
　開口部に相対する筐体の底面内側に反射率の高い白色塗料を塗布をすることにより形成された第１の反射板と、
　底面に配設された複数の光源と、
　開口部に配設された拡散板とを有する面状光源装置であって、
　光源は、赤色、緑色または青色の単色光を発する発光ダイオードの点状光源であり、筐体の底面外側に固着された、３列で並設されている点状光源基板に実装され、
　第１の反射板には、点状光源間及び筐体の側面近傍に突起部が設けられた、白色光を得るための面状光源装置。」　  
　　　　
３　対比 
　本願発明と引用発明とを対比する。
（１）引用発明の「発光ダイオード」は本願発明の「ＬＥＤ」に相当し、同様に、
　「突起部」は「壁部」に、
　「点状光源基板」は「ＬＥＤ実装部」に、　　
　「面状光源装置」は「発光装置」に、それぞれ、相当する。 
　    　
（２）本願発明の「保護カバー」は、本願明細書の【００１６】によれば、
透明材料で形成され、ＬＥＤが実装された空間領域を密閉するための部材であると解されるから、
　引用発明の「『筐体』の『開口部に配設された拡散板』」は本願発明の「保護カバー」に相当する。
    　
（３）本願発明の「ベース部材」は、「ＬＥＤ実装部」と「壁部」とを有するものである。
　そして、引用発明の「３列で並設されている点状光源基板」に点状光源が実装され、「筐体の底面内側に反射率の高い白色塗料を塗布をすることにより形成された第１の反射板」に突起部が設けられていることに照らせば、
　引用発明の「『３列で並設されている点状光源基板』と『筐体』」は本願発明の「ベース部材」に相当する。
　　　
（４）してみると、本願発明と引用発明とは以下の点で一致する。  
　＜一致点＞  
 「電流が供給されるとそれぞれが異なる色の光を放射する複数のＬＥＤと、
　前記複数のＬＥＤが実装されたＬＥＤ実装部、及び前記ＬＥＤ実装部のうち前記複数のＬＥＤのそれぞれが実装された領域の周囲に設けられた壁部を有するベース部材と、
　前記複数のＬＥＤから放射された光を透過させる保護カバーとを備え、
　前記保護カバーは、前記ベース部材の上方に設けられている
　ことを特徴とする発光装置。」　
　　　
（５）一方で、本願発明と引用発明とは、以下の点で相違する。  
　＜相違点１＞ 　  
　電流の供給に関し、
　本願発明は、「前記壁部に設けられ、前記複数のＬＥＤと１対１に対応し、それぞれが、対応する当該ＬＥＤから放射された光の強度を少なくとも１つの光検出部によって検出する複数の光検出手段と、
　前記複数の光検出手段のそれぞれで検出された光の強度が、予め決められた光の強度となるように、前記複数のＬＥＤのそれぞれに供給される電流を制御する制御部とを備え」るのに対して、　　
　引用発明は、そのようなものではない点。　
  　
　＜相違点２＞　
　ベース部材に関し、
　本願発明は、「第１の実装基板と、第２の実装基板とを含」むものであるのに対して、
　引用発明は、「３列で並設されている点状光源基板」と「筐体」であり、点状光源基板が１つの基板ではない点。
　　　　　　　
４　判断 　  
（１）上記＜相違点１＞について検討する。  
　ア　異なる色を発光する光源からの光を混合して白色光を得る際に、光検出手段を利用して各光源の光量を調整しなければならないことは、自明の課題である（例えば、
（ア）特開平１１−２９５６８９号公報の【要約】及び図１を参照。
（イ）実願平２−１０９０２９号（実開平４−６５３８３号）のマイクロフィルムの第１０頁第２ないし７行を参照。）から、
　引用発明において、「赤色、緑色または青色の単色光を発する発光ダイオード」の、それぞれの発光量を光検出手段により検出するとともに、それぞれに供給される電流を制御して、それぞれの発光量を調整する制御部を備えるようになすことは、当業者が容易になし得たことである。　 
　　　
　イ　そして、発光素子の発光量を検出する光検出手段を、発光素子と対向する基板内や反射枠等の素子近傍に設けた発光装置は、本願出願時点で周知である（例えば、 
（ア）特開平１０−４９０７４号公報の【００２５】及び図１１を参照。 
　光センサーを反射枠の壁面に配設することが記載されている。
　図１１は、以下のものである。
　　
（イ）特開昭６２−１８８３８６号公報の第２頁右下欄第８ないし１６行及び第１図を参照。
　基板１側に向かう出力光Ａ２をｐｎ接合部（１、２）に入力し、モニター出力として利用することが記載されている。
　第１図は、以下のものである。
　　
（ウ）特開昭６１−２２４４７０号公報の第２頁右上欄第４ないし同頁右下欄５行及び第１図を参照。
　面発光型ＬＥＤ１０の裏面電極に設けた透孔１２から取出された光はサブマウント２０の受光部２３に入射されることが記載されている。
　第１図は、以下のものである。　
　　
（エ）特開昭６１−１０８１８６号公報の第２頁左下欄第１０行ないし同頁右下欄第７行及び第１図を参照。
　半導体基板１１上にフォトセンサー１２を形成することが記載されている。
　第１図は、以下のものである。　　　  　
　　
（オ）実願昭５２−１６２４５２号（実開昭５４−８７０７５号）のマイクロフィルムの「２．実用新案登録請求の範囲」及び第３図を参照。
　発光ダイオードアレイの側面に対向する反射枠の一部を切欠き、受光素子を配置することが記載されている。
　第３図は、以下のものである。   　　　　
　
以下「周知技術」という。）であることに照らせば、
　引用発明において、光検出手段を「赤色、緑色または青色の単色光を発する発光ダイオード」と１対１で対応するように突起部に設けることは、当業者が適宜なし得たことである。
  　　　
　ウ　以上の検討からして、引用発明において、上記＜相違点１＞に係る本願発明の構成を採用することは、当業者が上記周知技術に基づいて容易になし得たことである。 
       　　　　　                   　
（２）上記＜相違点２＞について検討する。  　  　
　ア　引用発明の「３列で並設されている点状光源基板」の、それぞれには点状光源が実装され、それぞれが筐体の底面外側に固着されるものであるから、これらを「１つの点状光源基板」として、筐体の底面外側に固着するようになすことは、列の間隔等を勘案して当業者が適宜なし得たことである。
　
　イ　その際、引用発明の「１つの点状光源基板」と「筐体」は、固着されることで一体となって点状光源の実装部をなすものであるから、これは、本願発明の「第１の実装基板」と「第２の実装基板」を貼り合わせたものに相当する。　　
　　　
　ウ　以上の検討からして、引用発明において、上記＜相違点２＞に係る本願発明の構成を採用することは、当業者が適宜なし得たことである。
　　
（３）効果
　本願発明の奏する効果は、当業者が引用発明及び周知技術から予測し得る範囲内のものである。　　  　　　 　 
　 　　 
５　進歩性についてのまとめ 
　本願発明は、当業者が引用文献に記載された発明及び周知技術に基づいて容易に発明をすることができたものである。 
　　　　 　
第４　むすび 　 　 
　以上のとおり、本願発明は、当業者が引用文献に記載された発明及び周知技術に基づいて容易に発明をすることができたものであるから、特許法第２９条第２項の規定により特許を受けることができない。 　 
　
　よって、結論のとおり審決する。